(57)【要約】【課題】電池内部で温度を制御し、電池全体の温度分布を均一化できる構造を有するリチウムイオン電池を得ること。【解決手段】リチウムイオン電池１は、冷却媒体Ｃが流れる冷却流路９の流路途中に配置されるものであり、電池容器５内で充放電部２に接続される一対の接続部４ａ、４ｂのうち、冷却流路９の上流側に発熱量の多い接続部４ａを配置し、冷却流路９の下流側に発熱量の少ない接続部４ｂを配置する。これにより、下流側でのセル温度上昇を抑え、セル全体の温度分布を均一化する。【選択図】図４
2013008649.tif 000002
【特許請求の範囲】
【請求項１】
冷却媒体が流れる冷却流路の流路途中に配置されるリチウムイオン電池であって、
電池容器内で充放電部に接続される一対の接続部のうち、前記冷却流路の上流側に配置される接続部の方が、前記冷却流路の下流側に配置される接続部よりも発熱量が多い構成を有することを特徴とするリチウムイオン電池。
【請求項２】
前記冷却流路の上流側に配置される接続部の電気抵抗を、前記冷却流路の下流側に配置される接続部の電気抵抗よりも大きくしたことを特徴とする請求項１に記載のリチウムイオン電池。
【請求項３】
前記各接続部は、前記充放電部の電極に接続される電極端子を有し、
前記冷却流路の上流側に配置される接続部の電極端子の断面積を、前記冷却流路の下流側に配置される接続部の電極端子の断面積よりも小さくしたことを特徴とする請求項１に記載のリチウムイオン電池。
【請求項４】
前記各接続部は、前記充放電部の電極に接続される複数の電極タブを有し、
前記冷却流路の上流側に配置される接続部の電極タブの数を、前記冷却流路の下流側に配置される接続部の電極タブの数よりも少なくしたことを特徴とする請求項１に記載のリチウムイオン電池。
【請求項５】
前記接続部に一端が当接され、前記電池容器の内壁に他端が当接されて、前記接続部の熱を前記電池容器に伝達する熱伝導部材が、前記冷却流路の上流側に配置される接続部と前記電池容器の内壁との間、若しくは、前記冷却流路の下流側に配置される接続部と前記電池容器の内壁との間の少なくとも一方に設けられることを特徴とする請求項１に記載のリチウムイオン電池。
【請求項６】
前記熱伝導部材は、前記冷却流路の上流側に配置される接続部と前記電池容器の内壁との間、及び、前記冷却流路の下流側に配置される接続部と前記電池容器の内壁との間に設けられており、互いに熱伝導量が異なることを特徴とする請求項５に記載のリチウムイオン電池。
【請求項７】
前記充放電部は、帯状の正極と負極の間にセパレータを介在させて捲回された捲回体を有し、
前記一対の接続部は、前記捲回体の捲回軸方向一方側の端部に正極用の接続部が接続され、前記捲回体の捲回軸方向他方側の端部に負極用の接続部が接続されていることを特徴とする請求項１から請求項６のいずれか一項に記載のリチウムイオン電池。
【請求項８】
前記正極用の接続部は、前記捲回体の正極に接続された複数の正極タブと、該複数の正極タブが接続される正極端子を有し、
前記負極用の接続部は、前記捲回体の負極に接続された複数の負極タブと、該複数の負極タブが接続される負極端子を有することを特徴とする請求項７に記載のリチウムイオン電池。
【請求項９】
冷却媒体が流れるモジュールケース内に複数のリチウムイオン電池が収容されたモジュールであって、
前記各リチウムイオン電池は、電池容器内で充放電部に接続される接続部を有しており、前記接続部の発熱量が多いリチウムイオン電池の方が、前記接続部の発熱量が少ないリチウムイオン電池よりも、前記モジュールケース内の上流側に配置されていることを特徴とするモジュール。
【発明の詳細な説明】
【技術分野】
【０００１】
本発明は、リチウムイオン電池及びモジュールに関する。
【背景技術】
【０００２】
リチウムイオン電池は、出力密度が高く、従来からパソコンや携帯電話等の小型機器に用いられてきたが、近年になってHEV(ハイブリッド自動車)やEV(電気自動車)に用いられ始めており、また、これらより出力の大きい建設機械等の重機に搭載する試みも進められている。そして更に、太陽光発電や風力発電等の出力の不安定な発電設備の電力平準化用蓄電池としての用途を期待されている。これらの用途に用いる場合、単電池(セル)を複数組み合わせた組電池、即ち、モジュールとして電力供給システムの中に組み込むことになる。
【０００３】
リチウムイオン電池は、電解質膜を正極と負極で挟んだ充放電部と、その充放電部と外部との間を電気的に接続する接続部とが電池容器に収容されて密封される構成を有している。接続部は、電池外部の外部端子を介して電流バスバー等に導通接続される構造となっており、充放電部の正極と負極にそれぞれ接続される電極タブと接続端子を有している。
【０００４】
リチウムイオン電池は、充放電を行うと発熱が生じる。発熱の原因は、電池内部の各部材の電気抵抗である。その電気抵抗には、幾つかの種類があり、充放電部のイオン拡散抵抗や各部材自体の持つ電気抵抗、及び、各部材間の接触抵抗等がある。
【０００５】
例えば、数10Ah級の大容量型のリチウムイオン電池になると、充放電部の発熱に加えて、接続部の発熱も大きくなる。電池容器に納める都合上、接続部をあまり大きくすることはできないので、電流の流れる面積を発熱が無視できるほど大きくすることは困難である。接続部の発熱量は、電池発熱熱量全体の2〜3割程度になることもある。
【０００６】
発熱により充放電部の温度が高くなると、性能低下の加速や動作不具合の発生につながる。また、大容量型電池の場合、条件によってセル充放電部に温度差、即ち、温度分布のつくことがあり、その程度が大きいと充放電部に劣化の激しい部分とそうでない部分が生じ、劣化の激しくない部分の充放電量が大きくなってその部分もやがては劣化していくことになる。
【０００７】
特許文献１および特許文献２は、角型電池の電極端子に接続する電流バスバーの周囲に冷却媒体を流す冷却方式において、電流バスバーに放熱フィンを設け、下流側の放熱フィンの放熱面積を大きくして下流側の温度上昇を抑える構造を提示している。
【０００８】
また、特許文献３は、角型電池の周囲に放熱フィンを設け、その放熱フィンの数を冷却媒体の下流側で多くすることにより下流側の温度上昇を抑える構造を提示している。このように、温度の高い部位に冷却フィンを設け、その冷却フィンの放熱面積を温度が高い程大きくする構造は一般的に見られるものである。  
【先行技術文献】
【特許文献】
【０００９】
【特許文献１】特開2010-198930号公報
【特許文献２】特開2009-252417号公報
【特許文献３】特開2010-182580号公報
【発明の概要】
【発明が解決しようとする課題】
【００１０】
上記した特許文献１〜３の技術は、いずれも電池の外部に設けられた構造物によって電池を冷却するものである。本発明者は、鋭意研究の結果、電池の内部で温度を制御し、電池全体の温度分布を均一化できる構造を有するリチウムイオン電池を見出した。
【００１１】
本発明の目的は、電池内部で温度を制御し、電池全体の温度分布を均一化できる構造を有するリチウムイオン電池を提供することにある。
【課題を解決するための手段】
【００１２】
上記課題を解決する本発明のリチウムイオン電池は、冷却媒体が流れる冷却流路の流路途中に配置されるリチウムイオン電池であって、電池容器内で充放電部に接続される一対の接続部のうち、冷却流路の上流側に配置される接続部の方が、冷却流路の下流側に配置される接続部よりも発熱量が多い構成を有することを特徴としている。
【発明の効果】
【００１３】
本発明によれば、電池の冷却流路下流側の温度上昇を抑え、電池全体の温度分布を均一化できる。なお、上記した以外の課題、構成及び効果は、以下の実施形態の説明により明らかにされる。
【図面の簡単な説明】
【００１４】
【図１】第１実施の形態に係わるセルの基本構成を説明する図。
【図２】図１のセルを用いたモジュールの基本構成を説明する図。
【図３】セルの一実施例を示す図。
【図４】図３のセルを用いたモジュールの一実施例を示す図。
【図５】セルの一実施例を示す図。
【図６】図５のセルを用いたモジュールの一実施例を示す図。
【図７】セルの一実施例を示す図。
【図８】図７のセルを用いたモジュールの一実施例を示す図。
【図９】第２実施の形態に係わるモジュールの一実施例を示す図。
【図１０】第２実施の形態に係わるモジュールの一実施例を示す図。
【図１１】第２実施の形態に係わるモジュールの一実施例を示す図。
【図１２】モジュールの構成を説明する図。
【発明を実施するための形態】
【００１５】
次に、本実施の形態について図面を用いて説明する。
［第１実施の形態］
図１は、本実施の形態に係わるセルの基本構成を説明する図であり、図１（ａ）は、電池容器のみを断面で示すセルの正面図、図１（ｂ）は、図１（ａ）のＡ−Ａ断面図である。図２は、図１に示すセルを用いたモジュールの基本構成を説明する図である。
【００１６】
リチウムイオン電池は、その構造によって幾つかの種類がある。代表的なものは、捲回円筒型、捲回扁平型、積層角型、ラミネート型である。捲回円筒型は、長い帯状に形成した電解質膜を同形状の正極及び負極で挟んで円筒形状に巻いた捲回体を円筒型ケースの中に入れ、電解質液を充填し、密封した構造のものである。捲回扁平型は、前記捲回体を扁平形状に巻き取り、扁平型ケースの中に収納した構造のものである。積層角型は、平板形状の電解質膜を同形状の正極及び負極で挟み、これを絶縁板を介して複数積層し、角型のケースに収納し、電解質液を充填して密封した構造のものである。ラミネート型は、平板形状の電解質膜を同形状の正極と負極で交互に挟み込んで積層し、電解質液を含浸させた後、絶縁樹脂膜を貼った外装被覆膜で挟んで、真空引きしながら周囲を熱溶着によってシールした構造のものである。
【００１７】
リチウムイオン電池の単電池、即ち、セル１は、図１に示すように、捲回円筒型の内部構造を有している。電解質膜を正極と負極で挟んだシートを円筒形状に巻いた捲回体２が充放電部である。捲回体２の正極には、捲回軸方向一方側に正極全体の電流を集電する為の正極タブ（電極タブ）３ａが接続されており、この正極タブ３ａに、正極端子（電極端子）４ａが接続されている。正極端子４ａは、外部端子７ａを介して電池外部との電気的接続を行うようになっている。本実施の形態では、正極タブ３ａと正極端子４ａによって、正極側の接続部が構成されている。
【００１８】
また、捲回体２の負極には、捲回軸方向他方側に負極全体の電流を集電する為の負極タブ（電極タブ）３ｂが接続されており、この負極タブ３ｂに、負極端子（電極端子）４ｂが接続されている。負極端子４ｂは、外部端子７ｂを介して電池外部との電気的接続を行うようになっている。本実施の形態では、負極タブ３ｂと負極端子４ｂによって、負極側の接続部が構成されている。
【００１９】
これらの部材、すなわち、正極側の接続部と負極側の接続部と捲回体２は、円筒型の電池容器５内に収納され、電池容器５の軸方向両端部が、それぞれ蓋体６ａ、６ｂによって封止されている。各蓋体６ａ、６ｂには、外部端子７ａ、７ｂが設けられており、正極端子４ａと負極端子４ｂに電気的に接続されている。電池容器５内には、所定量の電解液（図示せず）が充填されている。
【００２０】
上記構成を有するセル１は、充放電を行う際に、捲回体２、正極タブ３ａ、負極タブ３ｂ、正極端子４ａ、負極端子４ｂにて発熱が生じる。大容量型のセルは、セル単独で用いられることは少なく、通常は、複数のセル１を、図２に示すように、組電池、即ち、モジュールとして用いる。モジュール８のモジュールケース９には、複数のセル１が収容されている。
【００２１】
モジュールケース９に収納されたセル１の温度上昇を抑える為の一般的な方法は、モジュールケース９内に、空気などの冷却媒体を供給して、セル周囲に冷却媒体を流す冷却方法である。モジュールケース９は、冷却媒体が流れる冷却流路を構成する。
【００２２】
冷却媒体の流し方としては、大きく分けて、セル１の軸に沿う方向に沿って流す方式と、セル１の軸に直交する方向に沿って流す方式の２種類がある。例えば、図２に示す方式、すなわちセル１の軸に沿う方向に冷却媒体を流す方式では、冷却媒体入口管９ａからモジュールケース９内に冷却媒体Ｃが供給され、セル１の外周をセル１の軸に沿う方向に流れ、セル１の熱を吸収した後で、冷却媒体出口管９ｂからモジュールケース９の外部に排出される。冷却媒体Ｃは、下流側では、セル１の熱を吸収して温度の高い状態になっており、冷却能力が落ちている。従って、セル１は、下流側に移行するにしたがって冷却され難くなり、その部位のセル温度が高くなる。
【００２３】
セル１の内部で発熱する箇所は、先に述べたように、充放電部２、正極タブ３ａ、正極端子４ａ、負極タブ３ｂ、負極端子４ｂであり、正極タブ３ａ及び正極端子４ａと、負極タブ３ｂ及び負極端子４ｂは、互いにセル１の軸方向両側に離して配置されている。
【００２４】
したがって、セル１の軸方向の発熱分布が均一の場合には、下流側に配置された部位の方が上流側に配置された部位よりも冷却され難く、上流側と比較して下流側の温度が高くなるおそれがある。
【００２５】
そこで、モジュールケース９内でセル１の軸に沿う方向に冷却媒体を流す方式では、セル１の正極側と負極側の接続部の発熱量を変えて、正極側の接続部と負極側の接続部のうち、冷却能力の高い上流側に配置される接続部の発熱量を多くし、冷却能力の低い下流側に配置される接続部の発熱量を少なくする構成とした。
【００２６】
図１及び図２に示す例では、正極側の接続部である正極タブ３ａ及び正極端子４ａの発熱量の方が、負極側の接続部である負極タブ３ｂ及び負極端子４ｂの発熱量よりも多くなるように構成されており、モジュールケース９内の上流側に正極側の接続部が配置され、モジュールケース９内の下流側に負極側の接続部が配置されている。
【００２７】
このように、一方の接続部の発熱量を他方の接続部の発熱量よりも多くし、モジュールケース９内の上流側に発熱量の多い接続部を配置し、モジュールケース９内の下流側に発熱量の少ない接続部を配置することで、セル１の下流側の温度上昇を抑え、セル全体の温度分布を均一化できる。したがって、充放電部２の局部的な高温化に起因した劣化の促進を抑制し、電池寿命の短縮を防ぐことができる。
【００２８】
正極側の接続部の発熱量と負極側の接続部との発熱量を変える方法として、例えば、正極側の接続部と負極側の接続部の電気抵抗を変える方法がある。モジュールケース９内の上流側に配置される接続部の電気抵抗を大きくし、モジュールケース９内の下流側に配置される接続部の電気抵抗を小さくすれば、上流側の発熱量が多くなり、下流側の発熱量が小さくなる。
【００２９】
正極側の接続部と負極側の接続部の電気抵抗を変える方法としては、接続部の電流が流れる方向の断面積を変える方法や、接続部の接触抵抗を変える方法などがある。接触抵抗は、接続点数や接続部面積を変更することによって変えることができる。
【００３０】
図３及び図４は、接続部の電流が流れる方向の断面積を正極側と負極側で変えた場合の例を示す図である。図３は、セルの一実施例を示す図であり、図３（ａ）は、電池容器のみを断面で示すセルの正面図、図３（ｂ）は、Ａ−Ａ線断面、図３（ｃ）は、Ｂ−Ｂ線断面である。図４は、図３のセルを用いたモジュールの一実施例を示す図である。
【００３１】
セル１は、図３に示すように、正極端子１４ａに細径サイズのものが用いられ、負極端子１４ｂに太径サイズのものが用いられており、正極端子１４ａの方が負極端子１４ｂよりも、電流が流れる方向の断面積が小さい構成を有している。したがって、正極端子１４ａの方が負極端子１４ｂよりも電気抵抗が大きく、発熱量も多くなっている。
【００３２】
そして、上記構成を有するセル１は、図４に示すように、モジュールケース９内において冷却媒体の流れ方向に沿って延在するように配置され、発熱量の多い正極端子１４ａがモジュールケース９内の上流側に配置され、発熱量の少ない負極端子１４ｂがモジュールケース９内の下流側に配置される。
【００３３】
したがって、上流側で発熱量の多い正極端子１４ａを冷却能力の高い冷却媒体によって冷却することができ、下流側で発熱量の少ない負極端子１４ｂを冷却能力の落ちた冷却媒体によって冷却することができる。したがって、正極端子１４ａ側と負極端子１４ｂ側で温度のバランスを取ることができ、セル１の下流側の温度上昇を抑え、セル１の軸方向の温度分布を均一化することができる。したがって、充放電部２の局部的な高温化に起因した劣化の促進を抑制し、電池寿命の短縮を防ぐことができる。
【００３４】
図５及び図６は、接続部の接触抵抗を冷却媒体の上流側と下流側で変えた場合の例を示す図である。図５は、セルの一実施例を示す図であり、電池容器のみを断面で示すセルの正面図である。そして、図６は、図５のセルを用いたモジュールの一実施例を示す図である。
【００３５】
セル１は、図５に示すように、正極タブ１３ａの方が負極タブ１３ｂよりも、タブ数が少ない構成を有しており、正極端子４ａの方が負極端子４ｂよりも接続点数が少なく、接続部面積も小さくなっている。したがって、正極端子４ａの方が負極端子４ｂよりも発熱量が多くなっている。
【００３６】
そして、上記構成を有するセル１は、図６に示すように、モジュールケース９内において冷却媒体の流れ方向に沿って延在するように配置され、発熱量の多い正極端子４ａ側が冷却媒体の上流側に配置され、発熱量の少ない負極側が冷却媒体の下流側に配置される。したがって、上流側で発熱量の多い正極端子４ａを冷却能力の高い冷却媒体によって冷却することができ、下流側で発熱量の少ない負極端子４ｂを冷却能力の落ちた冷却媒体によって冷却することができる。したがって、正極端子４ａ側と負極端子４ｂ側で温度のバランスを取ることができ、セル１の下流側の温度上昇を抑え、セル１の軸方向の温度分布を均一化することができる。したがって、充放電部２の局部的な高温化に起因した劣化の促進を抑制し、電池寿命の短縮を防ぐことができる。
【００３７】
図７及び図８は、正極側の接続部の発熱量と負極側の接続部との発熱量を変える方法の一実施例を示す図である。図７は、セルの一実施例を示す図であり、図７（ａ）は、電池容器のみを断面で示す、セルの側面図、図７（ｂ）は、Ａ−Ａ線断面、図７（ｃ）は、Ｂ−Ｂ線断面である。そして、図８は、図７のセルを用いたモジュールの一実施例を示す図である。
【００３８】
本実施例において特徴的なことは、正極端子１４ａと負極端子１４ｂに、それぞれ熱伝導部材２１、２２を設けたことである。正負両極の発熱量を異なるものとし、さらに、正負両極と冷却媒体との間の熱伝導を確保することによって、温度分布均一化の効果をより発揮することができる。
【００３９】
本実施例では、正極端子１４ａと電池容器５の内壁との間に正極側の熱伝導部材２１が設けられ、負極端子１４ｂと電池容器５の内壁との間に負極側の熱伝導部材２２が設けられている。
【００４０】
各熱伝導部材２１、２２は、それぞれの電極で発生した熱を、セル壁である電池容器５に伝える役割を持つ。熱伝導部材２１と熱伝導部材２２は、熱伝導量を微妙に調整することにより、正負両極の電極端子の発熱量の違いだけでは調整しきれない微妙なセル温度分布を更に均一化することが可能である。
【００４１】
熱伝導部材２１は、接続部である正極端子１４ａに一端が当接され、電池容器５の内壁に他端が当接されて、正極端子１４ａの熱を電池容器５に伝達する構成を有している。    具体的には、正極端子１４ａに外嵌されて当接される円筒部２１ａと、円筒部２１ａから放射状に突出して電池容器５の内壁に当接する複数のフィン部２１ｂを有している。
【００４２】
熱伝導部材２２は、接続部である負極端子１４ｂに一端が当接され、電池容器５の内壁に他端が当接されて、負極端子１４ｂの熱を電池容器５に伝達する構成を有している。具体的には、負極端子１４ｂに外嵌されて当接される円筒部２２ａと、円筒部２２ａから放射状に突出して電池容器５の内壁に当接する複数のフィン部２２ｂを有している。
【００４３】
熱伝導部材２１、２２は、互いに熱伝導量が異なっており、正極側の熱伝導部材２１の方が、負極側の熱伝導部材２２よりも、熱伝導量が多くなるように設定されている。したがって、正極端子１４ａと負極端子１４ｂの発熱量の違いだけでは調整しきれない微妙なセル温度分布を調整することができ、セル１の軸方向の温度分布をさらに均一化することができる。
【００４４】
なお、図７及び図８に示す構成では、熱伝導部材２１、２２を正極端子１４ａと負極端子１４ｂに設ける場合を例に説明したが、正極端子１４ａと負極端子１４ｂのいずれか一方にのみ設ける構成としてもよい。
【００４５】
［第２実施の形態］
図９及び図１２は、本実施の形態に係わるモジュールの一実施例を示す図である。
なお、第１実施の形態と同様の構成要素には同一の符号を付することでその詳細な説明を省略する。
【００４６】
冷却媒体Ｃをモジュールケース９内に流す方式として、上述の第１実施の形態のように、セル１の軸に沿う方向に流す方式の他に、図９及び図１２に示すように、セル１の軸に交差する方向に流す方式がある。
【００４７】
モジュール１０は、モジュールケース９内に複数のセル１を収容している。各セル１−１、１−２、１−３は、冷却媒体Ｃが流れる上流側から下流側に向かって所定間隔をおいて配置されており、その軸が冷却媒体Ｃの流れる方向に直交する方向に沿って延在するように並列に配置されている。
【００４８】
冷却媒体入口管９ａからモジュールケース９内に供給された冷却媒体Ｃは、セル１の外周をセル１の軸に直交する方向に流れ、各セル１−１、１−２、１−３の熱を吸収した後で、冷却媒体出口管９ｂからモジュールケース９の外部に排出される。
【００４９】
したがって、モジュールケース９内の冷却媒体上流側に配置されたセル（上流用セル）１−１よりも下流側に配置されたセル（下流用セル）１−３の温度が高くなるような温度分布になる。このように、冷却媒体Ｃが流れる冷却流路となるモジュールケース９内において、下流側の温度が高くなるという問題があった。
【００５０】
そこで、モジュールケース９内でセル１の軸に直交する方向に冷却媒体を流す方式である、本実施の形態のモジュール１０では、モジュールケース９内の上流側に配置されるセル１−１の接続部（上流用正極タブ３３ａ、上流用負極タブ３３ｂ、上流用正極端子３４ａ、上流用負極端子３４ｂ）の発熱量を多くし、下流側に配置されるセル１−３の接続部（下流用正極タブ５３ａ、下流用負極タブ５３ｂ、下流用正極端子５４ａ、下流用負極端子５４ｂ）の発熱量を少なくする構成とした。そして、セル１−１とセル１−３との間に配置されるセル（中流用セル）１−２は、接続部（中流用正極タブ４３ａ、中流用負極タブ４３ｂ、中流用正極端子４４ａ、中流用負極端子４４ｂ）の発熱量を、セル１−１の接続部の発熱量とセル１−３の接続部の発熱量との中間の発熱量とする構成とした。
【００５１】
このように、モジュールケース９内の上流側に発熱量の多い接続部を有するセル１−１を配置し、モジュールケース９内の下流側に発熱量の少ない接続部を有するセル１−３を配置することで、下流側に配置されるセル１の温度上昇を抑え、モジュール全体の温度分布を均一化できる。したがって、下流側に配置されるセル１−３が高温化して劣化が促進されるのを抑制し、モジュール全体としての寿命の短縮を防ぐことができる。
【００５２】
図１０は、接続部の電流が流れる方向の断面積を上流側のセルと下流側のセルで変えた場合の例を示す図である。
【００５３】
セル１−１には、正極端子３４ａ及び負極端子３４ｂに細径サイズの断面積を有するものが用いられ、セル１−２には、正極端子４４ａ及び負極端子４４ｂに中径サイズの断面積を有するものが用いられ、セル１−３には、正極端子５４ａ及び負極端子５４ｂに太径サイズの断面積を有するものが用いられている。
【００５４】
したがって、セル１−１の正極端子３４ａ及び負極端子３４ｂの方が、セル１−２の正極端子４４ａ及び負極端子４４ｂよりも、電流が流れる方向の断面積が小さい構成を有しており、電気抵抗が大きく、発熱量も多くなっている。そして、セル１−２の正極端子４４ａ及び負極端子４４ｂの方が、セル１−３の正極端子５４ａ及び負極端子５４ｂよりも、電流が流れる方向の断面積が小さい構成を有しており、電気抵抗が大きく、発熱量も多くなっている。
【００５５】
各セル１−１、１−２、１−３は、図１０に示すように、モジュールケース９内において冷却媒体の流れ方向に所定間隔をおいて順番に配置されており、発熱量の多い正極端子３４ａ及び負極端子３４ｂを有するセル１−１が最も上流側に配置され、その次に発熱量の多い正極端子４４ａ及び負極端子４４ｂを有するセル１−２がセル１−１の下流側に配置され、発熱量の最も少ない正極端子５４ａ及び負極端子５４ｂを有するセル１−３がセル１−２の下流側に配置される。
【００５６】
したがって、発熱量の多い正極端子３４ａ及び負極端子３４ｂを有するセル１−１を、冷却能力の高い冷却媒体によって冷却することができ、発熱量の少ない正極端子５４ａ及び負極端子５４ｂを有するセル１−３を、冷却能力の落ちた冷却媒体によって冷却することができる。
【００５７】
したがって、モジュールケース９内で上流側と下流側の温度のバランスを取ることができ、下流側のセル１−３の温度上昇を抑え、モジュール全体の温度分布を均一化できる。したがって、下流側に配置されるセル１−３が高温化して劣化が促進されるのを抑制し、モジュール全体としての寿命の短縮を防ぐことができる。
【００５８】
図１１は、図１０に示す各セルの正極端子と負極端子に熱伝導部材を設けた場合の例を示す図である。
【００５９】
セル１−１の正極端子３４ａ及び負極端子３４ｂ（図１０を参照）には、互いに同一の熱伝導量を有する熱伝導部材３５ａ、３５ｂが取り付けられている。そして、セル１−２の正極端子４４ａ、４４ｂ（図１０を参照）には、互いに同一の熱伝導量を有する熱伝導部材４５ａ、４５ｂが取り付けられている。熱伝導部材４５ａ、４５ｂは、セル１−１に設けられる熱伝導部材３５ａ、３５ｂよりも大きさが小さく、熱伝導量が少なくなるように構成されている。
【００６０】
そして、セル１−３の正極端子５４ａ及び負極端子５４ｂ（図１０を参照）には、互いに同一の熱伝導量を有する熱伝導部材５５ａ、５５ｂが取り付けられている。熱伝導部材５５ａ、５５ｂは、セル１−２に設けられる熱伝導部材４５ａ、４５ｂよりも大きさが小さく、熱伝導量が少なくなるように構成されている。
【００６１】
したがって、セル１−１の正極端子３４ａ及び負極端子３４ｂとその下流側のセル１−２の正極端子４４ａ及び負極端子４４ｂとの発熱量の違い、あるいは、セル１−２の正極端子４４ａ及び負極端子４４ｂとその下流側のセル１−３の正極端子５４ａ及び負極端子５４ｂとの発熱量の違いだけでは調整しきれない、微妙な温度分布を調整することができ、モジュール全体の温度分布をさらに均一化できる。
【００６２】
なお、図１１に示す構成では、図１０に示す正極端子３４ａ〜５４ａと負極端子３４ｂ〜５４ｂに、熱伝導部材３５ａ、３５ｂ、４５ａ、４５ｂ、５５ａ、５５ｂを設ける場合を例に説明したが、これに限定されるものではなく、種々の組み合わせが可能であり、例えば、セル１−１〜１−３の一部にのみ設ける構成としてもよい。
【００６３】
以上、本発明の実施形態について詳述したが、本発明は、前記の実施形態に限定されるものではなく、特許請求の範囲に記載された本発明の精神を逸脱しない範囲で、種々の設計変更を行うことができるものである。例えば、前記した実施の形態は本発明を分かりやすく説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。さらに、各実施形態の構成の一部について、他の構成の追加・削除・置換をすることが可能である。
【産業上の利用可能性】
【００６４】
本発明は、リチウムイオン電池、及び、同電池を用いた組電池、即ち、モジュールの温度分布を均一化するためのものであり、特に、容量の大きい電力貯蔵用システムや移動体用の動力システムに対して適用可能である。
【符号の説明】
【００６５】
１     セル(リチウムイオン電池の単電池)
１−１  セル（上流用セル）
１−２  セル（中流用セル）
１−３  セル（下流用セル）
２  捲回体（充放電部）
３ａ、１３ａ  正極タブ（電極タブ）
３ｂ、１３ｂ  負極タブ（電極タブ）
４ａ   正極端子（電極端子）
４ｂ   負極端子（電極端子）
５  電池容器
８  モジュール
９  モジュールケース（冷却流路）
２１、２２  熱伝導部材
３３ａ  上流用正極タブ
３３ｂ  上流用負極タブ
３４ａ  上流用正極端子
３４ｂ  上流用負極端子
４３ａ  中流用正極タブ
４３ｂ  中流用負極タブ
４４ａ  中流用正極端子
４４ｂ  中流用負極端子
５３ａ  下流用正極タブ
５３ｂ  下流用負極タブ
５４ａ  下流用正極端子
５４ｂ  下流用負極端子
Ｃ  冷却媒体
【図１】
2013008649.tif 000003
【図２】
2013008649.tif 000004
【図３】
2013008649.tif 000005
【図４】
2013008649.tif 000006
【図５】
2013008649.tif 000007
【図６】
2013008649.tif 000008
【図７】
2013008649.tif 000009
【図８】
2013008649.tif 000010
【図９】
2013008649.tif 000011
【図１０】
2013008649.tif 000012
【図１１】
2013008649.tif 000013
【図１２】
2013008649.tif 000014